(57)【要約】【課題】  通信回線とのインピーダンスの整合性の向上させることが可能なモデム装置およびそのインピーダンス整合方法を提供する。【解決手段】  ＣＲ回路１３，１４，１５，・・・は、ブリッジタップ非対応型の複数のＣＲ回路と、ブリッジタップ対応型の複数のＣＲ回路とを含む。制御部４は、トレーニング時において、ＣＲ回路１３，１４，１５，・・・の各々に対応する通信速度を順番に測定して記憶部５に格納する。制御部４は、ＣＲ回路１３，１４，１５，・・・の各々に対応する通信速度を記憶部５のテーブルに順次書込み、このテーブルに基づいて、ＣＲ回路１３，１４，１５，・・・の中から最も早い通信速度を実現するＣＲ回路を選択する。これにより、通信回線のインピーダンスとの整合性が最も高いＣＲ回路が自動的に選択される。【選択図】        図１
2007013852.tif 000002
【特許請求の範囲】
【請求項１】
通信回線を利用して相手側装置とデータ通信を行なうモデム装置であって、
前記通信回線に接続され、送信信号と受信信号とを分離するための２線４線変換回路、
前記２線４線変換回路を介して前記通信回線に送信信号を与える送信部、
前記２線４線変換回路を介して前記通信回線から受信信号を受ける受信部、
それぞれ異なるインピーダンス特性を有する複数のインピーダンス回路、および
前記複数のインピーダンス回路を順番に前記２線４線変換回路に接続していきながら、前記複数のインピーダンス回路の各々に対応する通信速度を測定し、測定結果に基づいて、前記複数のインピーダンス回路の中から最大の通信速度を実現するインピーダンス回路を選択して前記２線４線変換回路に接続し、相手側装置とのデータ通信を開始する手段を備える、モデム装置。
【請求項２】
通信回線を利用して相手側装置とデータ通信を行なうモデム装置であって、
前記通信回線に接続され、送信信号と受信信号とを分離するための２線４線変換回路、
前記２線４線変換回路を介して前記通信回線に送信信号を与える送信部、
前記２線４線変換回路を介して前記通信回線から受信信号を受ける受信部、
それぞれ異なるインピーダンス特性を有する複数のインピーダンス回路、および
前記複数のインピーダンス回路を順番に前記２線４線変換回路に接続していきながら、前記送信部から前記２線４線変換回路を介して前記受信部に回込む雑音のレベルを測定し、測定結果に基づいて、前記複数のインピーダンス回路の中から最小の回込み雑音を実現するインピーダンス回路を選択して前記２線４線変換回路に接続し、相手側装置とのデータ通信を開始する手段を備える、モデム装置。
【請求項３】
通信回線を利用して相手側装置とデータ通信を行なうモデム装置であって、
前記通信回線に接続され、送信信号と受信信号とを分離するための２線４線変換回路、
前記２線４線変換回路を介して前記通信回線に送信信号を与える送信部、
前記２線４線変換回路を介して前記通信回線から受信信号を受ける受信部、
それぞれ異なるインピーダンス特性を有する複数のインピーダンス回路、
前記通信回線のインピーダンス特性を測定するインピーダンス測定回路、および
前記インピーダンス測定回路による測定結果に基づいて、前記複数のインピーダンス回路の中から前記通信回線のインピーダンス特性に最も近似するインピーダンス特性を有するインピーダンス回路を選択して前記２線４線変換回路に接続し、相手側装置とのデータ通信を開始する手段を備える、モデム装置。
【請求項４】
前記複数のインピーダンス回路は、
前記通信回線に分岐点がある場合に対応したインピーダンス特性を有するインピーダンス回路、および
前記通信回線に分岐点がない場合に対応したインピーダンス特性を有するインピーダンス回路を含む、請求項１から請求項３までのいずれかに記載のモデム装置。
【請求項５】
デジタル加入者線方式でデータ通信を行なう、請求項１から請求項４までのいずれかに記載のモデム装置。
【請求項６】
前記通信回線は電話回線である、請求項１から請求項５までのいずれかに記載のモデム装置。
【請求項７】
通信回線を利用して相手側装置とデータ通信を行なうモデム装置のインピーダンス整合方法であって、
前記通信回線に接続され、送信信号と受信信号とを分離するための２線４線変換回路と、それぞれ異なるインピーダンス特性を有する複数のインピーダンス回路とを設け、
前記複数のインピーダンス回路を順番に前記２線４線変換回路に接続していきながら、前記複数のインピーダンス回路の各々に対応する通信速度を測定する測定ステップ、
前記測定ステップによる測定結果に基づいて、前記複数のインピーダンス回路の中から最大の通信速度を実現するインピーダンス回路を選択する選択ステップ、および
前記選択ステップによって選択されたインピーダンス回路を前記２線４線変換回路に接続して、相手側装置とのデータ通信を開始する通信ステップを含む、インピーダンス整合方法。
【請求項８】
通信回線を利用して相手側装置とデータ通信を行なうモデム装置のインピーダンス整合方法であって、
前記通信回線に接続され、送信信号と受信信号とを分離するための２線４線変換回路と、それぞれ異なるインピーダンス特性を有する複数のインピーダンス回路とを設け、
前記複数のインピーダンス回路を順番に前記２線４線変換回路に接続していきながら、送信側から前記２線４線変換回路を介して受信側に回込む雑音のレベルを測定する測定ステップ、
前記測定ステップによる測定結果に基づいて、前記複数のインピーダンス回路の中から最小の回込み雑音を実現するインピーダンス回路を選択する選択ステップ、および
前記選択ステップによって選択されたインピーダンス回路を前記２線４線変換回路に接続して、相手側装置とのデータ通信を開始する通信ステップを含む、インピーダンス整合方法。
【請求項９】
通信回線を利用して相手側装置とデータ通信を行なうモデム装置のインピーダンス整合方法であって、
前記通信回線に接続された２線４線変換回路と、それぞれ異なるインピーダンス特性を有する複数のインピーダンス回路とを設け、
前記通信回線のインピーダンス特性を測定する測定ステップ、
前記測定ステップによる測定結果に基づいて、前記複数のインピーダンス回路の中から前記通信回線のインピーダンス特性に最も近似するインピーダンス特性を有するインピーダンス回路を選択する選択ステップ、および
前記選択ステップによって選択されたインピーダンス回路を前記２線４線変換回路に接続して、相手側装置とのデータ通信を開始する通信ステップを含む、インピーダンス整合方法。
【発明の詳細な説明】
【技術分野】
【０００１】
この発明は、モデム装置およびそのインピーダンス整合方法に関し、特に、通信回線を利用してデータ通信を行なうモデム装置およびそのインピーダンス整合方法に関する。
【背景技術】
【０００２】
既存の電話回線を利用して高速のデータ通信を行なうｘＤＳＬ（x Digital Subscriber Line：デジタル加入者線）方式には、たとえばＡＤＳＬ（Asymmetric DSL：非対称デジタル加入者線）方式やＶＤＳＬ（Very high-bit-rate DSL：超高速デジタル加入者線）方式などがある。ｘＤＳＬ方式を用いた通信システムでは、加入者側のｘＤＳＬモデム装置と局側のｘＤＳＬモデム装置との間で、電話回線を介してデータ通信が行なわれる。
【０００３】
図８は、従来のｘＤＳＬモデム装置の概略構成を示すブロック図である。図８において、このｘＤＳＬモデム装置は、送信部１０１、ハイブリッド回路１０２、受信部１０３、制御部１０４および記憶部１０５を備える。
【０００４】
ハイブリッド回路１０２は、２線４線変換回路１１１と、リレー１１２と、ＣＲ回路１１３，１１４，１１５とを含む。このハイブリッド回路１０２は、送信部１０１に繋がる２本の線と、受信部１０３に繋がる２本の線の合計４本の線を、２線式の電話回線に接続する２線４線変換回路である。ＣＲ回路１１３，１１４，１１５は、それぞれ異なるインピーダンス特性（周波数とインピーダンスとの関係）を有する。リレー１１２は、ＣＲ回路１１３，１１４，１１５のうちのいずれか１つを２線４線変換回路１１１に接続する。
【０００５】
送信部１０１は、外部からの入力データを変調し、送信信号を２線４線変換回路１１１に与える。送信部１０１から２線４線変換回路１１１に与えられた送信信号は、電話回線を介して相手側のｘＤＳＬモデム装置に与られる。また、この２線４線変換回路１１１は、相手側のモデム装置から電話回線を介して受けた受信信号を受信部１０３に与える。受信部１０３は、２線４線変換回路１１１から与えられた受信信号を復調し、外部にデータを出力する。制御部１０４は、送信部１０１および受信部１０３の動作を制御する。送信部１０１、受信部１０３および制御部１０４は、モデムチップ１１６を構成する。
【０００６】
ここで、ハイブリッド回路１０２におけるインピーダンス整合について説明する。電話回線のインピーダンスと、リレー１１２によって２線４線変換回路１１１に接続されたＣＲ回路のインピーダンスとが整合している場合は、送信部１０１からの送信信号が電話回線へ効率よく伝達され、送信信号は受信部１０３には回込まない。具体的には、送信部１０１からの送信電力の１／２が電話回線で消費され、１／２がＣＲ回路で消費される。しかし、電話回線のインピーダンスと、リレー１１２によって２線４線変換回路１１１に接続されたＣＲ回路のインピーダンスとが整合していない場合は、送信部１０１からの送信信号がハイブリッド回路１０２を介して受信部１０３に回込んで雑音となる。
【０００７】
電話回線にブリッジタップ（分岐点）ない場合は、線路長に応じて電話回線のインピーダンス特性が異なる。このため、異なる線路長の電話回線（たとえば、短距離、中距離、長距離）に対応した３つのＣＲ回路１１３，１１４，１１５を設けている。
【０００８】
制御部１０４は、データ通信を開始する前において、相手側のｘＤＳＬモデム装置との間で制御情報をやり取りするハンドシェイク、および通信速度を決定するトレーニングと呼ばれる処理を実行する。
【０００９】
受信部１０３は、ハンドシェイクの段階において電話回線の線路長を測定する機能を有し、その測定結果を制御部１０４に与える。記憶部１０５は、ＣＲ回路１１３，１１４，１１５の各々に対応する線路長が予め格納されたテーブルを有する。制御部１０４は、記憶部１０５のテーブルを読出して、ＣＲ回路１１３，１１４，１１５の中から電話回線の線路長に対応するＣＲ回路を選択する。これにより、電話回線のインピーダンスとの整合性が最も高いＣＲ回路が自動的に選択される。そして、リレー１１２を切換制御して、ＣＲ回路１１３，１１４，１１５の中から選択したＣＲ回路を２線４線変換回路１１１に接続する。その後、トレーニングが実行されて、データ通信が開始される。
【００１０】
下記の特許文献１には、２線回線のインピーダンスが変化しても近端エコー成分を最小にすることが可能なハイブリッド回路が開示されている。これによると、接続された回線により変化するインピーダンスＺを計測し、バリキャップ電圧を変化させることによって、計測したインピーダンスに近似する近似インピーダンスＺｈを実現する。
【特許文献１】特開２００４−１１２６６９号公報
【発明の開示】
【発明が解決しようとする課題】
【００１１】
電話回線にブリッジタップ（分岐点）ある場合は、ブリッジタップの数や位置、ブリッジタップから分岐している回線の線路長などに応じて、電話回線のインピーダンス特性が異なる。また、電話回線にブリッジタップない場合に比べてインピーダンスが低下する。
【００１２】
このため、図８に示したように、電話回線の線路長に基づいてＣＲ回路を選択する方法では、選択したＣＲ回路と電話回線とのインピーダンスの整合性がよくないことがあった。この場合、送信部１０１からの送信信号がハイブリッド回路１０２を介して受信部１０３に回込んで雑音となる。これにより、通信速度が低下してしまい、場合によっては回線の接続が途切れてしまうこともある。
【００１３】
それゆえに、この発明の主たる目的は、通信回線とのインピーダンスの整合性を向上させることが可能なモデム装置およびそのインピーダンス整合方法を提供することである。
【課題を解決するための手段】
【００１４】
この発明に係わるモデム装置は、通信回線を利用して相手側装置とデータ通信を行なうモデム装置であって、通信回線に接続され、送信信号と受信信号とを分離するための２線４線変換回路と、２線４線変換回路を介して通信回線に送信信号を与える送信部と、２線４線変換回路を介して通信回線から受信信号を受ける受信部と、それぞれ異なるインピーダンス特性を有する複数のインピーダンス回路と、複数のインピーダンス回路を順番に２線４線変換回路に接続していきながら、複数のインピーダンス回路の各々に対応する通信速度を測定し、測定結果に基づいて、複数のインピーダンス回路の中から最大の通信速度を実現するインピーダンス回路を選択して２線４線変換回路に接続し、相手側装置とのデータ通信を開始する手段とを備えたものである。
【００１５】
この発明に係る他のモデム装置は、通信回線を利用して相手側装置とデータ通信を行なうモデム装置であって、通信回線に接続され、送信信号と受信信号とを分離するための２線４線変換回路と、２線４線変換回路を介して通信回線に送信信号を与える送信部と、２線４線変換回路を介して通信回線から受信信号を受ける受信部と、それぞれ異なるインピーダンス特性を有する複数のインピーダンス回路と、複数のインピーダンス回路を順番に２線４線変換回路に接続していきながら、送信部から２線４線変換回路を介して受信部に回込む雑音のレベルを測定し、測定結果に基づいて、複数のインピーダンス回路の中から最小の回込み雑音を実現するインピーダンス回路を選択して２線４線変換回路に接続し、相手側装置とのデータ通信を開始する手段とを備えたものである。
【００１６】
この発明に係るさらに他のモデム装置は、通信回線を利用して相手側装置とデータ通信を行なうモデム装置であって、通信回線に接続され、送信信号と受信信号とを分離するための２線４線変換回路と、２線４線変換回路を介して通信回線に送信信号を与える送信部と、２線４線変換回路を介して通信回線から受信信号を受ける受信部と、それぞれ異なるインピーダンス特性を有する複数のインピーダンス回路と、通信回線のインピーダンス特性を測定するインピーダンス測定回路と、インピーダンス測定回路による測定結果に基づいて、複数のインピーダンス回路の中から通信回線のインピーダンス特性に最も近似するインピーダンス特性を有するインピーダンス回路を選択して２線４線変換回路に接続し、相手側装置とのデータ通信を開始する手段とを備えたものである。
【００１７】
好ましくは、複数のインピーダンス回路は、通信回線に分岐点がある場合に対応したインピーダンス特性を有するインピーダンス回路と、通信回線に分岐点がない場合に対応したインピーダンス特性を有するインピーダンス回路とを含む。
【００１８】
また好ましくは、デジタル加入者線方式でデータ通信を行なう。
また好ましくは、通信回線は電話回線である。
【００１９】
この発明に係るインピーダンス整合方法は、通信回線を利用して相手側装置とデータ通信を行なうモデム装置のインピーダンス整合方法であって、通信回線に接続され、送信信号と受信信号とを分離するための２線４線変換回路と、それぞれ異なるインピーダンス特性を有する複数のインピーダンス回路とを設け、複数のインピーダンス回路を順番に２線４線変換回路に接続していきながら、複数のインピーダンス回路の各々に対応する通信速度を測定する測定ステップと、測定ステップによる測定結果に基づいて、複数のインピーダンス回路の中から最大の通信速度を実現するインピーダンス回路を選択する選択ステップと、選択ステップによって選択されたインピーダンス回路を２線４線変換回路に接続して、相手側装置とのデータ通信を開始する通信ステップとを含む。
【００２０】
この発明に係る他のインピーダンス整合方法は、通信回線を利用して相手側装置とデータ通信を行なうモデム装置のインピーダンス整合方法であって、通信回線に接続され、送信信号と受信信号とを分離するための２線４線変換回路と、それぞれ異なるインピーダンス特性を有する複数のインピーダンス回路とを設け、複数のインピーダンス回路を順番に２線４線変換回路に接続していきながら、送信側から２線４線変換回路を介して受信側に回込む雑音のレベルを測定する測定ステップと、測定ステップによる測定結果に基づいて、複数のインピーダンス回路の中から最小の回込み雑音を実現するインピーダンス回路を選択する選択ステップと、選択ステップによって選択されたインピーダンス回路を２線４線変換回路に接続して、相手側装置とのデータ通信を開始する通信ステップとを含む。
【００２１】
この発明に係るさらに他のインピーダンス整合方法は、通信回線を利用して相手側装置とデータ通信を行なうモデム装置のインピーダンス整合方法であって、通信回線に接続された２線４線変換回路と、それぞれ異なるインピーダンス特性を有する複数のインピーダンス回路とを設け、通信回線のインピーダンス特性を測定する測定ステップと、測定ステップによる測定結果に基づいて、複数のインピーダンス回路の中から通信回線のインピーダンス特性に最も近似するインピーダンス特性を有するインピーダンス回路を選択する選択ステップと、選択ステップによって選択されたインピーダンス回路を２線４線変換回路に接続して、相手側装置とのデータ通信を開始する通信ステップとを含む。
【発明の効果】
【００２２】
この発明に係わるモデム装置では、通信回線に接続され、送信信号と受信信号とを分離するための２線４線変換回路と、２線４線変換回路を介して通信回線に送信信号を与える送信部と、２線４線変換回路を介して通信回線から受信信号を受ける受信部と、それぞれ異なるインピーダンス特性を有する複数のインピーダンス回路と、複数のインピーダンス回路を順番に２線４線変換回路に接続していきながら、複数のインピーダンス回路の各々に対応する通信速度を測定し、測定結果に基づいて、複数のインピーダンス回路の中から最大の通信速度を実現するインピーダンス回路を選択して２線４線変換回路に接続し、相手側装置とのデータ通信を開始する手段とが設けられる。これにより、最も早い通信速度を実現するインピーダンス回路が自動的に選択される。すなわち、通信回線のインピーダンスとの整合性が最も高いインピーダンス回路が選択される。したがって、ｘＤＳＬモデム装置と通信回線のインピーダンスの整合性が向上する。
【００２３】
この発明に係る他のモデム装置では、通信回線に接続され、送信信号と受信信号とを分離するための２線４線変換回路と、２線４線変換回路を介して通信回線に送信信号を与える送信部と、２線４線変換回路を介して通信回線から受信信号を受ける受信部と、それぞれ異なるインピーダンス特性を有する複数のインピーダンス回路と、複数のインピーダンス回路を順番に２線４線変換回路に接続していきながら、送信部から２線４線変換回路を介して受信部に回込む雑音のレベルを測定し、測定結果に基づいて、複数のインピーダンス回路の中から最小の回込み雑音を実現するインピーダンス回路を選択して２線４線変換回路に接続し、相手側装置とのデータ通信を開始する手段とが設けられる。これにより、最も小さな回込み雑音を実現するインピーダンス回路が自動的に選択される。すなわち、通信回線のインピーダンスとの整合性が最も高いインピーダンス回路が選択される。したがって、ｘＤＳＬモデム装置と通信回線のインピーダンスの整合性が向上する。
【００２４】
この発明に係るさらに他のモデム装置では、通信回線に接続され、送信信号と受信信号とを分離するための２線４線変換回路と、２線４線変換回路を介して通信回線に送信信号を与える送信部と、２線４線変換回路を介して通信回線から受信信号を受ける受信部と、それぞれ異なるインピーダンス特性を有する複数のインピーダンス回路と、通信回線のインピーダンス特性を測定するインピーダンス測定回路と、インピーダンス測定回路による測定結果に基づいて、複数のインピーダンス回路の中から通信回線のインピーダンス特性に最も近似するインピーダンス特性を有するインピーダンス回路を選択して２線４線変換回路に接続し、相手側装置とのデータ通信を開始する手段とが設けられる。これにより、通信回線のインピーダンス特性に最も近似するインピーダンス特性を有するインピーダンス回路が自動的に選択される。すなわち、通信回線のインピーダンスとの整合性が最も高いインピーダンス回路が選択される。したがって、ｘＤＳＬモデム装置と通信回線のインピーダンスの整合性が向上する。
【００２５】
この発明に係るインピーダンス整合方法では、通信回線に接続され、送信信号と受信信号とを分離するための２線４線変換回路と、それぞれ異なるインピーダンス特性を有する複数のインピーダンス回路とを設け、複数のインピーダンス回路を順番に２線４線変換回路に接続していきながら、複数のインピーダンス回路の各々に対応する通信速度を測定する測定ステップと、測定ステップによる測定結果に基づいて、複数のインピーダンス回路の中から最大の通信速度を実現するインピーダンス回路を選択する選択ステップと、選択ステップによって選択されたインピーダンス回路を２線４線変換回路に接続して、相手側装置とのデータ通信を開始する通信ステップとを含む。これにより、最も早い通信速度を実現するインピーダンス回路が自動的に選択される。すなわち、通信回線のインピーダンスとの整合性が最も高いインピーダンス回路が選択される。したがって、ｘＤＳＬモデム装置と通信回線のインピーダンスの整合性が向上する。
【００２６】
この発明に係る他のインピーダンス整合方法では、通信回線に接続され、送信信号と受信信号とを分離するための２線４線変換回路と、それぞれ異なるインピーダンス特性を有する複数のインピーダンス回路とを設け、複数のインピーダンス回路を順番に２線４線変換回路に接続していきながら、送信側から２線４線変換回路を介して受信側に回込む雑音のレベルを測定する測定ステップと、測定ステップによる測定結果に基づいて、複数のインピーダンス回路の中から最小の回込み雑音を実現するインピーダンス回路を選択する選択ステップと、選択ステップによって選択されたインピーダンス回路を２線４線変換回路に接続して、相手側装置とのデータ通信を開始する通信ステップとを含む。これにより、最も小さな回込み雑音を実現するインピーダンス回路が自動的に選択される。すなわち、通信回線のインピーダンスとの整合性が最も高いインピーダンス回路が選択される。したがって、ｘＤＳＬモデム装置と通信回線のインピーダンスの整合性が向上する。
【００２７】
この発明に係るさらに他のインピーダンス整合方法では、通信回線に接続された２線４線変換回路と、それぞれ異なるインピーダンス特性を有する複数のインピーダンス回路とを設け、通信回線のインピーダンス特性を測定する測定ステップと、測定ステップによる測定結果に基づいて、複数のインピーダンス回路の中から通信回線のインピーダンス特性に最も近似するインピーダンス特性を有するインピーダンス回路を選択する選択ステップと、選択ステップによって選択されたインピーダンス回路を２線４線変換回路に接続して、相手側装置とのデータ通信を開始する通信ステップとを含む。これにより、通信回線のインピーダンス特性に最も近似するインピーダンス特性を有するインピーダンス回路が自動的に選択される。すなわち、通信回線のインピーダンスとの整合性が最も高いインピーダンス回路が選択される。したがって、ｘＤＳＬモデム装置と通信回線のインピーダンスの整合性が向上する。
【発明を実施するための最良の形態】
【００２８】
［実施の形態１］
図１は、この発明の実施の形態１によるｘＤＳＬモデム装置の概略構成を示すブロック図である。図１において、このｘＤＳＬモデム装置は、送信部１、ハイブリッド回路２、受信部３、制御部４および記憶部５を備える。
【００２９】
ハイブリッド回路２は、２線４線変換回路１１と、リレー１２と、ＣＲ回路１３，１４，１５，・・・とを含む。このハイブリッド回路２は、送信部１に繋がる２本の線と、受信部３に繋がる２本の線の合計４本の線を２線式の電話回線に接続する。２線４線変換回路１１は、たとえばハイブリッドトランスで構成される。ＣＲ回路１３，１４，１５，・・・は、それぞれコンデンサＣおよび抵抗素子Ｒで構成され、互いに異なるインピーダンス特性（周波数とインピーダンスとの関係）を有するインピーダンス回路である。インピーダンス回路としては、コイルを用いたものもある。リレー１２は、ＣＲ回路１３，１４，１５，・・・のうちのいずれか１つを２線４線変換回路１１に接続する。
【００３０】
送信部１は、外部からの入力データを変調し、送信信号を２線４線変換回路１１に与える。送信部１から２線４線変換回路１１に与えられた送信信号は、電話回線を介して相手側のｘＤＳＬモデム装置に与られる。また、この２線４線変換回路１１は、相手側のモデム装置から電話回線を介して受けた受信信号を受信部３に与える。受信部３は、２線４線変換回路１１から与えられた受信信号を復調し、外部にデータを出力する。制御部４は、たとえばＤＳＰ（デジタル信号処理回路）などで構成され、送信部１および受信部３の動作を制御する。送信部１、受信部３および制御部４は、モデムチップ１６を構成する。
【００３１】
ここで、ハイブリッド回路２におけるインピーダンス整合について説明する。電話回線のインピーダンスと、リレー１２によって２線４線変換回路１１に接続されたＣＲ回路のインピーダンスとが整合している場合は、送信部１からの送信信号が電話回線へ効率よく伝達され、電話回線からの受信信号が受信部３へ効率よく伝達され、送信信号は受信部３に回込まない。しかし、電話回線のインピーダンスと、リレー１２によって２線４線変換回路１１に接続されたＣＲ回路のインピーダンスとが整合していない場合は、送信部１からの送信信号がハイブリッド回路２を介して受信部３に回込んで雑音となる。
【００３２】
電話回線にブリッジタップがない場合とブリッジタップがある場合とでは、電話回線のインピーダンス特性が異なる。また、電話回線にブリッジタップ（分岐点）ある場合は、ブリッジタップの数や位置、ブリッジタップから分岐している回線の線路長などに応じて、電話回線のインピーダンス特性が異なる。
【００３３】
図２は、電話回線にブリッジタップない場合の通信システムの概略構成を示すブロック図である。図２において、加入者側のｘＤＳＬモデム装置２１と局側のモデム装置２２とが、線路長Ｌの電話回線によって接続されている。
【００３４】
図３は、図２に示した加入者側のｘＤＳＬモデム装置２１から見た電話回線のインピーダンス特性を示す図である。図３において、低い周波数の一部の帯域を除いて、インピーダンスはほぼ一定のレベルになっている。また図示しないが、電話回線にブリッジタップない場合は、線路長Ｌに応じて電話回線のインピーダンス特性が異なる。このため、ブリッジタップ非対応型のＣＲ回路を、異なる線路長の電話回線（たとえば、短距離、中距離、長距離）に対応して複数（たとえば、３個）設ける。
【００３５】
図４は、電話回線にブリッジタップがある場合の通信システムの概略構成を示すブロック図である。図２において、加入者側のｘＤＳＬモデム装置２１と局側のモデム装置２２とを接続する電話回線にブリッジタップが１つある。
【００３６】
図５は、図４に示した加入者側のｘＤＳＬモデム装置２１から見た電話回線のインピーダンス特性を示す図である。図３において、周波数に応じてインピーダンスのレベルが上下に変動している。また図示しないが、電話回線にブリッジタップがある場合は、ブリッジタップの数や位置、ブリッジタップから分岐している回線の線路長ｌなどに応じてインピーダンス特性が異なる。このため、ブリッジタップ対応型のＣＲ回路を複数設ける。
【００３７】
図１に戻って、ＣＲ回路１３，１４，１５，・・・は、ブリッジタップ非対応型の複数のＣＲ回路と、ブリッジタップ対応型の複数のＣＲ回路とを含む。
【００３８】
制御部４は、データ通信を開始する前（モデムの電源投入直後など）において、通信速度を決定するトレーニングと呼ばれる処理を実行する。
【００３９】
制御部４は、トレーニング時において、リレー１２を切換制御して、ＣＲ回路１３，１４，１５，・・・を順番に２線４線変換回路１１に接続していく。制御部４は、ＣＲ回路１３，１４，１５，・・・の各々に対応する通信速度を順番に測定して記憶部５に格納する。ＣＲ回路と電話回線とのインピーダンスの整合性が高いほど、早い通信速度が実現できる。記憶部５は、ＣＲ回路１３，１４，１５，・・・の各々に対応するテーブルを有する。制御部４は、ＣＲ回路１３，１４，１５，・・・の各々に対応する通信速度を記憶部５のテーブルに順次書込み、このテーブルに基づいて、ＣＲ回路１３，１４，１５，・・・の中から最も早い通信速度を実現するＣＲ回路を選択する。そして、リレー１２を切換制御して、ＣＲ回路１３，１４，１５，・・・の中から選択したＣＲ回路を２線４線変換回路１１に接続する。その後、データ通信が開始される。
【００４０】
以上のように、この実施の形態１では、電話回線にブリッジタップがある場合とブリッジタップがない場合とに対応して、最も早い通信速度を実現するＣＲ回路が自動的に選択される。すなわち、電話回線のインピーダンスとの整合性が最も高いＣＲ回路が選択される。したがって、ｘＤＳＬモデム装置と電話回線のインピーダンスの整合性が向上する。
【００４１】
［実施の形態２］
図６は、この発明の実施の形態２によるｘＤＳＬモデム装置の概略構成を示すブロック図であって、図１と対比される図である。図６を参照して、図１と異なる点は、受信部３、制御部４および記憶部５がそれぞれ受信部３１、制御部３２および記憶部３３に置換されている点である。なお、図６において、図１と対応する部分においては同一符号を付し、その詳細説明を省略する。
【００４２】
制御部３２は、データ通信を開始する前（モデムの電源投入直後など）において、相手側のｘＤＳＬモデム装置との間で制御情報をやり取りするハンドシェイク、および通信速度を決定するトレーニングと呼ばれる処理を実行する。
【００４３】
このハンドシェイクの段階やトレーニングの初期段階において、相手側装置から信号が送出されず、相手側装置からの受信信号がｘＤＳＬモデム装置に与えられないタイミングがある。このタイミングで、制御部３２は、送信部１から所定の周波数帯域を有するテスト信号を送信させるとともに、リレー１２を切換制御して、ＣＲ回路１３，１４，１５，・・・を順番に２線４線変換回路１１に接続していく。
【００４４】
受信部３１は、送信部１からハイブリッド回路２を介して回込んでくる雑音（回込み雑音）のレベルを測定する機能を有する。具体的には、ＣＲ回路１３，１４，１５，・・・の各々に対応する回込み雑音を順番に測定し、その測定結果を制御部３２に与える。ＣＲ回路と電話回線とのインピーダンスの整合性が高いほど、回込み雑音のレベルは低くなる。記憶部３３は、ＣＲ回路１３，１４，１５，・・・の各々に対応するテーブルを有する。制御部３２は、ＣＲ回路１３，１４，１５，・・・の各々に対応する回込み雑音のレベルを記憶部３３のテーブルに順次書込み、このテーブルに基づいて、ＣＲ回路１３，１４，１５，・・・の中から最小の回込み雑音を実現するＣＲ回路を選択する。そして、リレー１２を切換制御して、ＣＲ回路１３，１４，１５，・・・の中から選択したＣＲ回路を２線４線変換回路１１に接続する。その後、トレーニングが完了するとデータ通信が開始される。
【００４５】
なお、受信部３１が回込み雑音のレベルを測定する際、たとえばテスト信号の全周波数帯域における雑音レベルの合計を算出してもよいし、テスト信号の周波数帯域内の複数ポイントの雑音レベルの合計を算出してもよい。
【００４６】
以上のように、この実施の形態２では、電話回線にブリッジタップがある場合とブリッジタップがない場合とに対応して、最も小さな回込み雑音を実現するＣＲ回路が自動的に選択される。すなわち、電話回線のインピーダンスとの整合性が最も高いＣＲ回路が選択される。したがって、ｘＤＳＬモデム装置と電話回線のインピーダンスの整合性が向上する。
【００４７】
［実施の形態３］
図７は、この発明の実施の形態３によるｘＤＳＬモデム装置の概略構成を示すブロック図であって、図１と対比される図である。図７を参照して、図１と異なる点は、インピーダンス測定回路４１が追加され、制御部４および記憶部５が制御部４２および記憶部４３に置換されている点である。なお、図７において、図１と対応する部分においては同一符号を付し、その詳細説明を省略する。
【００４８】
インピーダンス測定回路４１は、トレーニングが実行される前に、電話回線のインピーダンスを測定し、電話回線のインピーダンス特性（インピーダンスと周波数の関係）を示すデータを制御部４２に与える。記憶部４３は、ＣＲ回路１３，１４，１５，・・・の各々のインピーダンス特性を示すデータが予め格納されたテーブルを有する。制御部４２は、記憶部４３のテーブルを読出して、ＣＲ回路１３，１４，１５，・・・の中から電話回線のインピーダンス特性に最も近似するインピーダンス特性を有するＣＲ回路を選択する。そして、リレー１２を切換制御して、ＣＲ回路１３，１４，１５，・・・の中から選択したＣＲ回路を２線４線変換回路１１に接続する。その後、トレーニングが実行されて、データ通信が開始される。
【００４９】
なお、制御部４２は、電話回線のインピーダンス特性を示すデータと、ＣＲ回路１３，１４，１５，・・・の各々のインピーダンス特性を示すデータとを比較し、たとえばそれらの２乗平均誤差を算出することによって、電話回線のインピーダンス特性に最も近似するインピーダンス特性を有するＣＲ回路を選択する。
【００５０】
以上のように、この実施の形態３では、電話回線にブリッジタップがある場合とブリッジタップがない場合とに対応して、電話回線のインピーダンス特性に最も近似するインピーダンス特性を有するＣＲ回路が自動的に選択される。すなわち、電話回線のインピーダンスとの整合性が最も高いＣＲ回路が選択される。したがって、ｘＤＳＬモデム装置と電話回線のインピーダンスの整合性が向上する。
【００５１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００５２】
【図１】この発明の実施の形態１によるｘＤＳＬモデム装置の概略構成を示すブロック図である。
【図２】電話回線にブリッジタップない場合の通信システムの概略構成を示すブロック図である。
【図３】図２に示した加入者側のｘＤＳＬモデム装置から見た電話回線のインピーダンス特性を示す図である。
【図４】電話回線にブリッジタップがある場合の通信システムの概略構成を示すブロック図である。
【図５】図４に示した加入者側のｘＤＳＬモデム装置から見た電話回線のインピーダンス特性を示す図である。
【図６】この発明の実施の形態２によるｘＤＳＬモデム装置の概略構成を示すブロック図である。
【図７】この発明の実施の形態３によるｘＤＳＬモデム装置の概略構成を示すブロック図である。
【図８】従来のｘＤＳＬモデム装置の概略構成を示すブロック図である。
【符号の説明】
【００５３】
１，１０１  送信部、２，１０２  ハイブリッド回路、３，３１，１０３  受信部、４，３２，４２，１０４  制御部、５，３３，４３，１０５  記憶部、１１，１１１  ２線４線変換回路、１２，１１２  リレー、１３，１４，１５，１１３，１１４，１１５  ＣＲ回路、１６，１１６  モデムチップ２１，２２  ｘＤＳＬモデム装置、４１  インピーダンス測定回路。
【図１】
2007013852.tif 000003
【図２】
2007013852.tif 000004
【図３】
2007013852.tif 000005
【図４】
2007013852.tif 000006
【図５】
2007013852.tif 000007
【図６】
2007013852.tif 000008
【図７】
2007013852.tif 000009
【図８】
2007013852.tif 000010